(57)【要約】【課題】  本体及びチューブの両方が透明な材料で製造されており且つ透明な溶剤が使用されていれば、本体の端部とこの端部内に挿入されているチューブの端部との接着部における透明度が高く、そのために、清潔感があって医療用具として好ましく、また、第三者に認識されにくくて装着者の心理的負担も軽い、鼻孔カニューラを提供する。【解決手段】  本体の端部の内径よりもチューブの端部の外径が０．２０ｍｍ以上大きい本体とチューブとが用いられている。このため、本体の端部内にチューブの端部が挿入されている状態では、本体の端部の内周面とチューブの端部の外周面とが密接している。従って、溶剤によって互いに接着されているこれらの内周面と外周面との密着度が高く、これらの内周面と外周面との間に気泡が混入しにくい。【選択図】  図１
0003108599.tif 000002
【実用新案登録請求の範囲】
【請求項１】
鼻孔に挿入される一対の突出部が設けられている本体と、端部が前記本体の端部内に挿入されているチューブとを具備しており、
前記本体の端部の内径よりも前記チューブの端部の外径が０．２０ｍｍ以上大きい前記本体と前記チューブとが用いられており、
前記挿入状態にある前記本体の端部の内周面と前記チューブの端部の外周面とが溶剤によって互いに接着されている鼻孔カニューラ。
【請求項２】
前記溶剤としてシクロヘキサノンが用いられている請求項１に記載の鼻孔カニューラ。
【考案の詳細な説明】
【技術分野】
【０００１】
本考案は、呼吸療法のための医療用具であって、鼻孔に挿入される一対の突出部が設けられている本体の端部内にチューブの端部が挿入及び接着されている鼻孔カニューラに関するものである。
【背景技術】
【０００２】
図６は、鼻孔カニューラの従来の一形態を示している（例えば、非特許文献１）。この従来の形態による鼻孔カニューラ１１の本体１２は、軟質の透明な合成樹脂で製造されており、全体的には略均一な太さの一本の円筒状である。本体１２の長手方向の中央部１３に一対の筒状の突出部１４が設けられており、中央部１３の内部と突出部１４の内部とが互いに連通している。本体１２における一対の端部１５内に、円筒状の一対のチューブ１６における各々の一方の端部１７が夫々挿入及び固定されている。
【非特許文献１】株式会社インターメドジャパン「ハドソン酸素カニューラ・マスク」カタログ
【０００３】
チューブ１６も軟質の透明な合成樹脂で製造されており、挿入状態にある本体１２の端部１５の内周面とチューブ１６の端部１７の外周面とが溶剤によって互いに接着されることによって、本体１２の端部１５内にチューブ１６の端部１７が固定されている。端部１５の内周面と端部１７の外周面とに溶剤が塗布されると、これらの内周面及び外周面が溶解するので、端部１５内へ端部１７が挿入され易くなる。このため、端部１５内への端部１７の挿入作業の容易性を考慮して、従来の形態の鼻孔カニューラ１１では一般に、端部１７の外径が端部１５の内径よりも０ｍｍ〜０．２０ｍｍ未満だけ大きかった。
【０００４】
一対のチューブ１６における各々の他方の端部はストッパリング１８で纏められた状態で接続管２１に挿入及び固定されている。接続管２１には一本のチューブ２２の一方の端部が挿入及び固定されており、チューブ２２の他方の端部はソケット２３に挿入及び固定されている。ソケット２３は酸素発生装置（図示せず）等に接続される。人間の頭部への鼻孔カニューラ１１の装着に際しては、一対の突出部１４を鼻孔に挿入して本体１２を上顎に位置させ、一対のチューブ１６を両耳に掛け、ストッパリング１８の位置を調節して顔面に対するチューブ１６の移動や揺動を防止することによって、顔面に対する本体１２の位置を固定する。この状態で、酸素発生装置等で発生された酸素が突出部１４を介して患者に供給される。
【考案の開示】
【考案が解決しようとする課題】
【０００５】
ところが、従来の形態の鼻孔カニューラ１１では、本体１２及びチューブ１６の両方が透明な材料で製造されており且つ透明な溶剤が使用されていても、本体１２の端部１５とチューブ１６の端部１７との接着部における透明度が低くてこの接着部が白濁していた。上述の様に鼻孔カニューラ１１は医療用具であるにも拘らず、鼻孔カニューラ１１の一部が白濁していると、鼻孔カニューラ１１の清潔感が損なわれ、鼻孔カニューラ１１は医療用具として好ましくない。また、鼻孔カニューラ１１の一部が白濁していると、鼻孔カニューラ１１自体が第三者に認識され易く、装着者の心理的負担が重い。
【０００６】
従って、本考案は、本体及びチューブの両方が透明な材料で製造されており且つ透明な溶剤が使用されていれば、本体の端部とこの端部内に挿入されているチューブの端部との接着部における透明度が高く、そのために、清潔感があって医療用具として好ましく、また、第三者に認識されにくくて装着者の心理的負担も軽い、鼻孔カニューラを提供することを目的としている。
【課題を解決するための手段】
【０００７】
本考案の鼻孔カニューラでは、本体の端部の内径よりもこの端部内に挿入されるチューブの端部の外径が０．２０ｍｍ以上大きい本体とチューブとが用いられている。このため、本体の端部内にチューブの端部が挿入されている状態では、本体の端部の内周面とチューブの端部の外周面とが従来の形態の鼻孔カニューラ１１よりも密接しており、溶剤によって互いに接着されている本体の端部の内周面とチューブの端部の外周面との密着度が高い。
【考案の効果】
【０００８】
本考案の鼻孔カニューラでは、溶剤によって互いに接着されている本体の端部の内周面とこの端部内に挿入されているチューブの端部の外周面との密着度が高いので、本体の端部の内周面とチューブの端部の外周面との間に気泡が混入しにくい。従って、本体及びチューブの両方が透明な材料で製造されており且つ透明な溶剤が使用されていれば、本体の端部とこの端部内に挿入されているチューブの端部との接着部における透明度が高く、そのために、清潔感があって医療用具として好ましく、また、第三者に認識されにくくて装着者の心理的負担も軽い。
【考案を実施するための最良の形態】
【０００９】
以下、本考案を実施するための最良の一形態を、図１〜５を参照しながら説明する。図２〜４に示されている様に、本形態による鼻孔カニューラ３１の本体３２は塩化ビニルやスチレン系エラストマー等の軟質の透明な合成樹脂で製造されており、長手方向の中央部３３と、一対の端部３４と、これらの中央部３３と一対の端部３４との間の一対の中間部３５とが、本体３２に設けられている。
【００１０】
鼻孔に挿入される一対の筒状の突出部３６が中央部３３に設けられており、中央部３３の内部と突出部３６の内部とが互いに連通している。図３に示されている様に、突出部３６の軸心方向から見ると、一対の突出部３６同士の間の部分で中央部３３が１３５°程度の鈍角に屈曲しており、このために本体３２の全体が「へ」の字状になっている。
【００１１】
図２に示されている様に、中央部３３のうちの上述の鈍角の屈曲部から中間部３５と端部３４との境界部までの部分は略直線状である。しかし、中央部３３から端部３４へ向かう中央部３３及び中間部３５の延在方向から、突出部３６が中央部３３から突出している側へ、端部３４が中央部３３及び中間部３５に対して傾斜している。端部３４には汎用の円筒状の一対のチューブ１６における各々の一方の端部１７が夫々挿入及び固定されているのでこの端部３４は円筒状であるが、中央部３３及び中間部３５は角筒状である。
【００１２】
挿入状態にある本体３２の端部３４の内周面とチューブ１６の端部１７の外周面とが溶剤によって互いに接着されることによって、本体３２の端部３４内にチューブ１６の端部１７が固定されている。この接着のための溶剤としてシクロヘキサノンが用いられているが、その他の適切な溶剤が用いられてもよい。チューブ１６の端部１７の外径は本体３２の端部３４の内径よりも０．２０ｍｍ以上大きい。
【００１３】
中央部３３及び中間部３５の延在方向に垂直な断面における形状は、突出部３６の軸心方向に延びる長辺とこの長辺に垂直な方向に延びる短辺とを有する長方形である。図２に示されている様に、中央部３３及び中間部３５の断面である長方形の長辺の長さは、中央部３３と中間部３５とで互いに等しい。しかし、図３に示されている様に、中央部３３及び中間部３５の断面である長方形の短辺の長さは、中間部３５よりも中央部３３で長い。これは、中央部３３の断面である長方形の短辺の部分に突出部３６を設けるためである。また、端部３４の外径は、中央部３３の断面である長方形の短辺の長さと略等しい。これは、上述の様に汎用の円筒状のチューブ１６の端部１７を端部３４に挿入及び固定するためである。
【００１４】
中央部３３及び中間部３５の断面である長方形の短辺の長さは中央部３３よりも中間部３５で短いが、図３に示されている様に、中央部３３及び中間部３５のうちで上述の「へ」の字の劣角側の平面３７は中央部３３と中間部３５とで面一である。このため、中央部３３及び中間部３５の断面である長方形の短辺の長さが中央部３３よりも中間部３５で短い分は、中央部３３及び中間部３５のうちで「へ」の字の優角側の平面３８における段差によって形成されている。
【００１５】
上述の様に中央部３３及び中間部３５の断面である長方形の短辺の長さが中央部３３よりも中間部３５で短いので、平面３７に垂直な方向において中間部３５の厚さが中央部３３及び端部３４の厚さよりも薄いとも言える。このため、図４に示されている様に、本体３２がその中間部３５において突出部３６の軸心と垂直な面内で曲がり易い。
【００１６】
人間の頭部への鼻孔カニューラ３１の装着に際しては、図５に示されている様に、一対の突出部３６を鼻孔に挿入して本体３２を上顎から頬骨の下側にかけて位置させ、一対のチューブ１６を両耳に掛け、ストッパリング１８の位置を調節して顔面に対するチューブ１６の移動や揺動を防止することによって、顔面に対する本体３２の位置を固定する。鼻孔カニューラ３１が人間の頭部に装着されると本体３２のうちで少なくとも平面３７が顔面に接触するので、少なくとも平面３７が顔面との接触面になっている。
【００１７】
一方、顔面が曲面であり、しかも、顔面の曲面には個人差がある。しかし、上述の様に本体３２がその中間部３５において突出部３６の軸心と垂直な面内で曲がり易い。このため、人間の頭部への装着時に中間部３５が顔面に沿って曲がり易く、図４に示されている様に、装着状態では平面３７、３８が実際には曲面になっている。従って、本体３２が顔面に馴染み易くて、人間の頭部への鼻孔カニューラ３１の装着状態における本体３２の適合感が良好である。しかも、上述の様に少なくとも平面３７が顔面との接触面になっているので、本体３２と顔面とが面状に接触し、本体３２が顔面に更に馴染み易くて、人間の頭部への鼻孔カニューラ３１の装着状態における本体３２の適合感が更に良好である。
【００１８】
もし、中央部３３及び中間部３５の断面である長方形の短辺の長さが中央部３３よりも中間部３５で短い分が、上述の様に平面３８における段差によって形成されているのではなく、平面３７における段差または平面３７と平面３８との両方における段差によって形成されていれば、平面３７の段差が顔面で感じられるので、人間の頭部への鼻孔カニューラ３１の装着状態における本体３２の適合感が良好であるとは言い難い。
【００１９】
また、もし、中央部３３及び中間部３５が上述の様に角筒状ではなくて端部３４と同様の円筒状であれば、本体３２と顔面とが面状ではなくて線状に接触するので、人間の頭部への鼻孔カニューラ３１の装着状態における本体３２の適合感がやはり良好であるとは言い難い。
【００２０】
更に、顔面との接触面である平面３７側へ一対の突出部３６同士の間の部分で中央部３３が鈍角に屈曲しているので、人間の頭部への装着状態において、本体３２が頬骨の下側に接触し頬骨の下側に引っ掛かって顔面から外れにくい。しかも、中央部３３から端部３４へ向かう中央部３３及び中間部３５の延在方向から、突出部３６が中央部３３から突出している側へ、端部３４が中央部３３及び中間部３５に対して傾斜しているので、人間の頭部への鼻孔カニューラ３１の装着状態において、本体３２は頬骨の下側を通過した後に両耳へ向かって延びている。このため、一対の端部３４に挿入及び固定されて両耳に掛けられている一対のチューブ１６が顔面に接触し易く顔面に対して移動や揺動を生じにくいので、本体３２が顔面から更に外れにくい。従って、酸素が突出部３６を介して患者に安定的に供給される。
【００２１】
下記の表１には、本体３２の端部３４の内径とチューブ１６の端部１７の外径とが種々の値を有する３６個の試験検体についての、端部３４と端部１７との接着部における透明度の試験結果が、端部３４の内径と端部１７の外径との差の順に並べられている。図１は、この表１の内容のグラフである。この試験は温度２４℃、相対湿度５５％の環境で行われ、端部３４の内径及び端部１７の外径は型式ＰＪ−３００の投影機（ミツトヨ社製）で測定された。
【００２２】
【表１】
0003108599.tif 000003
【００２３】
表１及び図１から、本体３２の端部３４の内径よりもチューブ１６の端部１７の外径が０．２０ｍｍ以上大きい場合に、略９０％以上の高い透明度が安定的に得られていることが分かる。このため、本形態の鼻孔カニューラ３１では、上述の様に、本体３２の端部３４の内径よりもチューブ１６の端部１７の外径が０．２０ｍｍ以上大きい本体３２とチューブ１６とが用いられている。なお、本体３２の端部３４の内径よりもチューブ１６の端部１７の外径が０．３０ｍｍを超えて大きいと、本体３２の端部３４内へのチューブ１６の端部１７の挿入作業が困難になるので、この０．３０ｍｍという値が実質的な上限値であると考えられる。
【産業上の利用可能性】
【００２４】
本考案は、呼吸療法のための医療用具であって、本体及びチューブの両方が透明な材料で製造されており且つ透明な溶剤が使用されていれば、本体の端部とこの端部内に挿入されているチューブの端部との接着部における透明度が高く、そのために、清潔感があって医療用具として好ましく、また、第三者に認識されにくくて装着者の心理的負担も軽い、鼻孔カニューラの提供に利用することができる。
【図面の簡単な説明】
【００２５】
【図１】鼻孔カニューラにおける本体の端部の内径とチューブの端部の外径とが種々の値を有する３６個の試験検体についての、本体の端部とチューブの端部との接着部における透明度の試験結果を示すグラフである。
【図２】本考案を実施するための一形態における本体の正面図である。
【図３】本考案を実施するための一形態における本体の平面図である。
【図４】本考案を実施するための一形態における本体であって人間の頭部への装着状態にある形態の平面図である。
【図５】本考案を実施するための一形態であって人間の頭部への装着状態にある形態の正面図である。
【図６】本考案の従来の一形態の斜視図である。
【符号の説明】
【００２６】
１６    チューブ
１７    端部
３１    鼻孔カニューラ
３２    本体
３４    端部
３６    突出部
【図１】
0003108599.tif 000004
【図２】
0003108599.tif 000005
【図３】
0003108599.tif 000006
【図４】
0003108599.tif 000007
【図５】
0003108599.tif 000008
【図６】
0003108599.tif 000009